【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
無線共振誘導電力伝送システムにおけるコイルアライメント誤差（ｃｏｉｌ  ａｌｉｇｎｍｅｎｔ  ｅｒｒｏｒ）を検出する装置であって、疎結合された空芯変圧器を構成するように配置された一次誘導コイルと二次誘導コイルとを有し、前記一次誘導コイルが作動すると前記一次誘導コイルの電力が前記二次誘導コイルに伝送されるものであり、この装置は、
前記一次誘導コイルに重ね合わせられた少なくとも２つの円弧状セグメント渦電流コイル（ａｒｃ  ｓｅｇｍｅｎｔ  ｅｄｄｙ  ｃｕｒｒｅｎｔ  ｃｏｉｌｓ）であって、当該渦電流コイルは前記一次誘導コイルの各セクターに対応するように配置されており、作動している渦電流コイルは前記二次誘導コイルにより捕捉される磁束を減少させる効果を有するものである、前記少なくとも２つの円弧状セグメント渦電流コイルと、
各円弧状セグメント渦電流コイルに接続されたスイッチと、
各前記スイッチを単独で若しくは別のスイッチと同時に、所定のスイッチングシーケンスで選択的に作動させるように構成されたシーケンサーと、
前記スイッチングシーケンス中に前記二次誘導コイルにおける電圧変動を検出する電圧検出器であって、前記一次誘導コイルおよび前記二次誘導コイルのアライメントは、前記渦電流コイルを順次作動させて当該渦電流コイルのスイッチングシーケンス中に検出された前記二次誘導コイルの電圧変動を測定することにより検出されるものであり、前記渦電流コイルのスイッチングシーケンスと前記二次誘導コイルの最大磁束変動との対応は誤差ベクトルの方向を示し、前記二次誘導コイルの磁束変動の大きさは誤差ベクトルの大きさを示すものである、前記電圧検出器と
を有する装置。
【請求項２】
請求項１記載の装置において、さらに、
各前記円弧状セグメント渦電流コイルに接続され、前記スイッチングシーケンスに基づいて順次作動する円弧状セグメント渦電流コイルに存在する交流電流を制御するブリッジ整流器を有するものである装置。
【請求項３】
請求項１記載の装置において、各前記スイッチは、ソース同士およびゲート同士が接続された２つの電界効果トランジスタを有する単一方向の交流半導体スイッチを有するものである装置。
【請求項４】
請求項１記載の装置において、さらに、
前記シーケンサーと前記電圧検出器間に無線データリンクを有し、前記データリンクは、アライメント誤差検出工程中にどの渦電流コイルが常時作動しているかに関する指標を、前記シーケンサーから前記電圧検出器に通信するものである装置。
【請求項５】
請求項１記載の装置において、前記電圧検出器は、低電力整流器と、当該低電力整流器の出力をデジタルデータに変換するアナログデジタルコンバータとを有し、当該デジタルデータは、前記渦電流コイルのスイッチングシーケンスと前記二次誘導コイルの最大磁束変動との対応、および前記二次誘導コイルの前記磁束変動の大きさを検出するためにマイクロコントローラにより処理されるものである装置。
【請求項６】
請求項５記載の装置において、さらに、
前記マイクロコントローラに接続され、当該装置の利用者に前記誤差ベクトルの方向および前記誤差ベクトルの大きさを表示するユーザーインターフェースを有し、当該ユーザーインターフェースは前記誤差ベクトルの方向および前記誤差ベクトルの大きさを使った前記一次誘導コイルおよび前記二次誘導コイルのアライメント調整に使用されるものである装置。
【請求項７】
請求項６記載の装置において、前記一次誘導コイルは充電器にインターフェース接続され、前記二次誘導コイルは自動車にインターフェース接続され、前記ユーザーインターフェースは、前記誤差ベクトルの方向および前記誤差ベクトルの大きさを前記自動車の運転者に提供するものである装置。
【請求項８】
請求項１記載の装置において、前記シーケンサーは、各前記円弧状セグメント渦電流コイルを同時に異なるクロック周波数で駆動するものである装置。
【請求項９】
請求項８記載の装置において、前記シーケンサーは、各前記円弧状セグメント渦電流コイルを、正方形波形の矩形波、長方形波形の矩形波、または正弦波形により、異なるクロック周波数で駆動するものである装置。
【請求項１０】
請求項８記載の装置において、前記電圧検出器は、低電力整流器と、当該低電力整流器の出力をデジタルデータに変換するアナログデジタルコンバータとを有し、当該デジタルデータは、前記渦電流コイルのスイッチングシーケンスと前記二次誘導コイルの最大磁束変動との対応、および前記二次誘導コイルの前記磁束変動の大きさを検出するためにマイクロコントローラにより処理されるものである装置。
【請求項１１】
請求項１０記載の装置において、前記マイクロコントローラは前記アナログデジタルコンバータにより出力されるデジタルデータ時系列を処理するものであり、この処理は、当該デジタルデータ時系列の時間領域から周波数領域への変換を行い、前記シーケンサーの各クロックトーン（ｃｌｏｃｋ  ｔｏｎｅ）が一意に単一の周波数領域スロットに納まるように時間領域から周波数領域への変換パラメータを選択することにより行われるものであり、
前記マイクロコントローラはクロックトーン振幅およびクロックトーン振幅比から前記円弧状セグメント渦電流コイルの相対的な寄与を決定し、それにより、各前記円弧状セグメント渦電流コイルに対応する前記単一の周波数領域スロットの大きさおよび方向を決定するものである装置。
【請求項１２】
請求項１記載の装置において、さらに、
前記一次誘導コイルの１８０度の円弧幅セグメントをそれぞれカバーする重なり合った４つの「Ｄ」字状渦電流コイルを有し、前記「Ｄ」字状渦電流コイルのうち２つは、前後の誤差決定に、前記「Ｄ」字状渦電流コイルのうち別の２つは、左右の誤差決定に使用されるものである装置。
【請求項１３】
請求項１記載の装置において、さらに、
前記一次誘導コイルの１２０度の円弧幅セグメントをそれぞれカバーする重なり合わない３つの渦電流コイルを有するものである装置。
【請求項１４】
請求項１記載の装置において、前記一次誘導コイルは、携帯型消費者向け電子装置の充電器の一部であり、前記二次誘導コイルは、携帯型消費者向け電子装置の一部である装置。
【請求項１５】
請求項１４記載の装置において、さらに、
充電操作中、前記携帯型消費者向け電子装置が、前記携帯型消費者向け電子装置の充電器と適切に位置合わせされたとき、利用者に通知する通知手段を有するものである装置。
【請求項１６】
無線共振誘導電力伝送システムにおけるコイルアライメント誤差を検出する方法であって、疎結合された空芯変圧器を構成するよう配置された一次誘導コイルと二次誘導コイルとを有し、前記一次誘導コイルが作動すると前記一次誘導コイルの電力が前記二次誘導コイルに伝送されるものであり、この方法は、
前記一次誘導コイルに重ね合わせられ、かつ、前記一次誘導コイルの各セクターに対応するように少なくとも２つの円弧状セグメント渦電流コイルを配置する工程と、
単独で若しくは一斉に、所定のスイッチングシーケンスで前記円弧状セグメント渦電流コイルを選択的に作動させる工程であって、作動している渦電流コイルは前記二次誘導コイルにより捕捉される磁束を減少させる効果を有するものである、前記選択的に作動させる工程と、
前記スイッチングシーケンス中に前記二次誘導コイルにおける電圧変動を検出する工程と、
前記渦電流コイルを順次作動させ、前記渦電流コイルのスイッチングシーケンス中に検出された前記二次誘導コイルの電圧変動を測定することにより、前記一次誘導コイルおよび前記二次誘導コイルのアライメントを検出する工程であって、前記渦電流コイルのスイッチングシーケンスと前記二次誘導コイルの最大磁束変動との対応は誤差ベクトルの方向を示し、前記二次誘導コイルの磁束変動の大きさは誤差ベクトルの大きさを示すものである、前記検出する工程と
を有する方法。
【請求項１７】
請求項１６記載の方法において、各円弧状セグメント渦電流コイルは、前記スイッチングシーケンスに基づいて順次作動するものである方法。
【請求項１８】
請求項１７記載の方法において、さらに、
アライメント誤差検出工程中にどの渦電流コイルが常時作動しているかについての指標を、前記スイッチングシーケンスを生成するシーケンサーからプロセッサに通信し、当該プロセッサにより一次誘導コイルおよび前記二次誘導コイルが位置合わせされているかどうかを決定する工程を有するものである方法。
【請求項１９】
請求項１６記載の方法において、さらに、
前記誤差ベクトルの方向、および前記誤差ベクトルの大きさを前記無線共振誘導電力伝送システムの利用者に表示する工程を有し、これにより、前記利用者は前記誤差ベクトルの方向および前記誤差ベクトルの大きさを使って前記一次誘導コイルおよび前記二次誘導コイルのアライメントを調整することが可能となるものである方法。
【請求項２０】
請求項１６記載の方法において、前記円弧状セグメント渦電流コイルを選択的に作動させる工程は、各円弧状セグメント渦電流コイルを同時に異なるクロック周波数で作動させる工程を有するものである方法。
【請求項２１】
請求項２０記載の方法において、前記円弧状セグメント渦電流コイルを選択的に作動させる工程は、各円弧状セグメント渦電流コイルを、正方形波形の矩形波、長方形波形の矩形波、または正弦波形により、同時に異なるクロック周波数で作動させる工程を有するものである方法。
【請求項２２】
請求項１６記載の方法において、前記スイッチングシーケンス中に前記二次誘導コイルにおける電圧変動を検出する工程は、前記無線共振誘導電力伝送システムの二次側の電圧検出器の出力をデジタルデータに変換する工程を有し、当該デジタルデータは、前記渦電流コイルのスイッチングシーケンスと前記二次誘導コイルの最大磁束変動との対応、および前記二次誘導コイルの前記磁束変動の大きさとを検出するためにマイクロコントローラにより処理されるものである方法。
【請求項２３】
請求項２０記載の方法において、前記渦電流コイルのスイッチングシーケンス中に検出された前記二次誘導コイルの電圧変動を測定する工程は、
前記マイクロコントローラが、前記デジタルデータの時系列の時間領域から周波数領域への変換を行い、かつ、前記スイッチングシーケンスの各クロックトーンが一意に単一の周波数領域スロットに納まるよう時間領域から周波数領域への変換パラメータを選択することにより、前記デジタルデータ時系列を処理する工程と、
前記マイクロコントローラが、クロックトーン振幅およびクロックトーン振幅比から前記円弧状セグメント渦電流コイルの相対的な寄与を決定し、それにより、各前記円弧状セグメント渦電流コイルに対応する前記単一の周波数領域スロットの大きさおよび方向を決定する工程と
を有するものである方法。
【請求項２４】
請求項１６記載の方法において、さらに、
前記誤差ベクトルの方向および前記誤差ベクトルの大きさを前記無線共振誘導電力伝送システムの利用者に表示して、前記誤差ベクトルの方向および前記誤差ベクトルの大きさを使った前記一次誘導コイルおよび前記二次誘導コイルのアライメントを調整する工程を有するものである方法。
【請求項２５】
請求項２４記載の方法において、前記一次誘導コイルは充電器にインターフェース接続され、前記二次誘導コイルは自動車にインターフェース接続されるものであり、さらに、
前記誤差ベクトルの方向および前記誤差ベクトルの大きさを前記自動車の運転者に提供する工程を有するものである方法。
【請求項２６】
請求項１６記載の方法において、前記一次誘導コイルは携帯型消費者向け電子装置の充電器の一部であり、前記二次誘導コイルは携帯型消費者向け電子装置の一部であり、さらに、
充電操作中に前記携帯型消費者向け電子装置が前記携帯型消費者向け電子装置の充電器と適切に位置合わせされたとき、利用者に通知する工程を有するものである方法。